【手続補正書】
【提出日】平成16年7月29日(2004.7.29)
【手続補正１】
【補正対象書類名】明細書
【補正対象項目名】特許請求の範囲
【補正方法】変更
【補正の内容】
【特許請求の範囲】
【請求項１】
移動範囲内の固定された相対位置に光学装置を固定する装置であって、
前記光学装置を保持する第１ハウジング部材と、
紫外線透過材料から製作された第１ブラケット部材と、
前記第１ハウジング部材と前記第１ブラケット部材との間で移動範囲にわたり相対運動を可能としながら、前記第１ハウジング部材と前記第１ブラケット部材とを共に緩く保持するための柔軟装置と、
前記第１ハウジング部材の区域と前記第１ブラケット部材の区域との間に施して前記第１ハウジング部材と前記第１ブラケット部材とを共に前記移動範囲内の固定位置に結合するための硬化可能な結合要素であって、液体状態にある間に施して前記相対運動を可能とするもので、紫外線に曝すことにより固体状態に硬化する接着材を含み、前記第１ハウジング部材および前記第１ブラケット部材は前記相対位置に固定される、硬化可能な結合要素と
を備えることを特徴とする移動範囲内の固定相対位置に光学装置を固定する装置。
【請求項２】
移動範囲内の固定された相対位置に光学装置を固定する装置であって、
前記光学装置を保持する第１ハウジング部材と、
紫外線透過材料から作製される中間ブラケット部材と、
前記第１ハウジング部材と前記中間ブラケット部材との間で第１の移動範囲にわたり相対運動を可能としながら、前記第１ハウジング部材と前記中間ブラケット部材とを共に緩く保持する柔軟装置と、
第２ハウジング部材と、
前記中間ブラケット部材と前記第２ハウジング部材との間で第２の移動範囲にわたり相対運動を可能としながら、前記中間ブラケット部材を前記第２ハウジング部材に保持する装置と、
前記第１ハウジング部材の区域と前記中間ブラケット部材の区域との間に施して前記第１ハウジング部材と前記中間ブラケット部材とを共に移動範囲内の固定位置に結合する、硬化可能な第１結合要素であって、液体状態にある間に施して前記相対運動を可能とし、紫外線に曝すことにより固体状態に硬化する接着材を含み、前記第１ハウジング部材および前記中間ブラケット部材は前記相対位置に固定される、硬化可能な第１結合要素と、
前記中間ブラケット部材の区域と前記第２ハウジング部材の区域との間に施して前記中間ブラケット部材と前記第２ハウジング部材とを共に第２の移動範囲内の固定位置に結合する、硬化可能な第２結合要素であって、液体状態にある間に施して前記第２運動範囲内の前記相対運動を可能とし、紫外線に曝すことにより固体状態に硬化する接着材を含み、前記第２ハウジング部材、前記中間ブラケット部材、および前記第１ハウジング部材を共に光学組立体に堅く固定する、硬化可能な第２結合要素と
を備えることを特徴とする移動範囲内の固定相対位置に光学装置を固定する装置。
【請求項３】
光学的走査機能を行う光学走査器において、
（ａ）  透明な走査窓と、
（ｂ）  光学走査器ハウジングであって、前記走査窓を固定し、前記光学走査器ハウジングに対して所定位置に固定されているレンズ要素と前記走査窓との間の光路を形成する光路形成要素を備える光学走査器ハウジングと、
（ｃ）  前記レンズ要素を通過する画像光を遮る位置に設置される光センサ・アレイと、
（ｄ）  前記光センサ・アレイを前記走査器ハウジングに対して移動範囲内の固定相対位置に固定する装置であって、
前記光センサ・アレイを保持するセンサ・ハウジング部材と、
紫外線透過材料から作製される中間ブラケット部材と、
前記センサ・ハウジング部材と前記中間ブラケット部材との間で第１の移動範囲にわたり相対運動を可能としながら、前記センサ・ハウジング部材と前記中間ブラケット部材とを共に緩く保持する柔軟装置とを備える、固定する装置と、
（ｅ）  前記中間ブラケット部材と前記光学走査器ハウジングとの間で第２の移動範囲にわたり相対運動を可能としながら、前記中間ブラケット部材を前記光学走査器ハウジングに保持する装置と、
（ｆ）  前記センサ・ハウジング部材の区域と前記中間ブラケット部材の区域との間に施して前記センサ・ハウジング部材と前記中間ブラケット部材とを共に前記第１の移動範囲内の固定位置に結合する、硬化可能な第１結合要素であって、液体状態にある間に施して前記第１の移動範囲内の前記相対運動を可能とし、紫外線に曝すことにより固体状態に硬化する接着材を含み、前記センサ・ハウジング部材および前記中間ブラケット部材が前記相対位置に固定される、硬化可能な第１結合要素と、
（ｇ）  前記中間ブラケット部材の区域と前記光学走査器ハウジングの区域との間に施して前記中間ブラケット部材と前記光学走査器ハウジングとを共に第２の移動範囲内の固定位置に結合する、硬化可能な第２結合要素であって、液体状態にある間に施して前記第２の移動範囲内の前記相対運動を可能とし、紫外線に曝すことにより固体状態に硬化する接着材を含む、第２結合要素と
を有し、前記センサ・アレイの付いたセンサ・ハウジング部材、前記中間ブラケット部材、および前記光学走査器ハウジングは共に光学組立体に堅く固定されることを特徴とする、光学的走査機能を行う光学走査器。
【手続補正２】
【補正対象書類名】明細書
【補正対象項目名】００１５
【補正方法】変更
【補正の内容】
【００１５】
走査器組立体５０は更に、実質上紫外光に透明な材料から製作されている中間ブラケット１００を備えている。この目的に適する代表的材料はポリカーボネートのような澄明なプラスチック材料である。市場から入手できる代表的な一つのポリカーボネートはゼネラル・エレクトリック会社から市販されているＬＥＸＡＮ（米国商標）、３４１２−７３９である。中間ブラケット１００は、ブラケット１００を走査器ハウジング７０に緩く固定するための取付け具クリップ要素１０２Ａおよび１０２Ｂなどの、幾つかの形体を備えている。走査器ハウジング７０には、それに対して対応する全般的に平面状の表面１０４が係合する全般的に平面状の表面７４を規定する平らな壁７２がある。壁にはその中に、レンズ５８からの画像光を通過させる開口７６（図４）が形成されている。壁７２の上隅は切り欠かれて、それぞれクリップ要素１０２Ａおよび１０２Ｂを受けるそれぞれの区域を与えている。中間ブラケット１００を形成する材料は弾力性材料であるから、クリップは、図２に示したように、クリップを壁７２に対して所定位置に設置したとき、休止位置から遠くに片寄せられている。壁７０に対する中間ブラケット１００の位置を、接着剤を施して硬化させるまで 、レンズ５８の光軸５８Ａを本質的に横断する平面内の移動の範囲内で滑動可能に変更することができる。この移動はＸおよびＺ軸の方向であり、矢印１２２および１３０（図３）により表されている。その上、クリップ１０２Ａおよび１０２Ｂは、矢印１２４Ａおよび１２４Ｂにより表わされているように、Ｙ軸の周りの回転（捻り）移動を可能とする。
【手続補正３】
【補正対象書類名】明細書
【補正対象項目名】００１７
【補正方法】変更
【補正の内容】
【００１７】
中間ブラケット１００は更に、中間ブラケットおよびＣＣＤハウジング部材８０を、これら二つの要素の間を運動範囲内で相対移動を可能としながら、共に緩く保持するための柔軟装置を備えている。柔軟装置はブラケットと一体に形成された四つの柔軟な曲がりフィンガ１０６Ａ−１０６Ｄを備えている。フィンガ１０６Ａ−１０６Ｂのそれぞれの端は、壁１０４の中に形成され且つ全般に中間ブラケットの壁１１４を横断して延びる支柱部分１０８と一体に取付けられている。同様にフィンガ１０６Ｃおよび１０６Ｄのそれぞれの端は、壁１０４の中に形成され且つ全般に壁１１４を横断して延びる支柱部分１１０と一体に取付けられている。各フィンガの先端は壁１０４から遠くに内側に曲がっている。フィンガの先端は各々、ハウジングおよびブラケット１００を共に寄せ合わせたときＣＣＤハウジングの壁８６Ａの外面に接触する。フィンガは図３に示す曲がった位置に形成され、しかも柔軟で、この位置にばね作用で戻る傾向があるから、柔軟フィンガは休止位置の方に片寄せるばねの付いたジンバルとなる。
【手続補正４】
【補正対象書類名】明細書
【補正対象項目名】００１８
【補正方法】変更
【補正の内容】
【００１８】
中間ブラケットの従順装置は更に、壁１０４から横方向に延びる一対の離れて整 列した出張り１１６Ａ−１１６Ｂおよび１１６Ｃ−１１６Ｄを備えている。各対の出張り間の間隔は、ハウジング８０およびブラケットを、たとえば、図２に示すように、共に組立たとき、ＣＣＤハウジング８０の出張り８８Ａおよび８８Ｂがそれらの間を滑ることができるのに充分である。ブラケット１００およびハウジング８０を緩く組立られた構成にロックするのに、ブラケット１００は更に、顎端１２０Ａ、１２０Ｂがハウジング８０のそれぞれの耳９２Ａおよび９２Ｂの上を滑る状態で、出張り１１６Ａ−１１６Ｄから外側に突出する出張り１１８Ａおよび１１８Ｂを備えている。出張り１１８Ａおよび１１８Ｂが要素８０および１００を共に緩く組立られた構成にロックしている間、要素８０と１００との間の移動範囲にわたる相対移動は出張りのロック作用によって妨害されることはない。移動範囲には、矢印１２８（図３）で示したような、差動焦点調節を行うｚ軸（図２）の周りの回転移動、および矢印１２６で示したような焦点調節を行うＹ軸方向の並進移動がある。
【手続補正５】
【補正対象書類名】明細書
【補正対象項目名】００２０
【補正方法】変更
【補正の内容】
【００２０】
図４は図２の線４−４を通して取った走査器組立体５０の断面図である。この図では、接着剤はまだ施されておらず、したがって、ＣＣＤハウジング８０および中間ブラケット１００は、これら部品が従順装置により片寄せられている組立られた休止位置にある。この図に示されているのは、ばねフィンガ１０６により行われる接触、および（出張り１１８Ａ、１１８Ｂの）顎端１２０Ａ、１２０ＢによるＣＣＤハウジング８０の耳９２Ａ、９２Ｂの係止である。
【手続補正６】
【補正対象書類名】明細書
【補正対象項目名】００２２
【補正方法】変更
【補正の内容】
【００２２】
図６は、走査器ハウジング７０に面する中間ブラケット１００の壁１０４の表面の近接拡大図であり、壁１０４に形成された接着剤受け入れ形体１４０Ａ、１４０Ｂの一つを示している。形体１４０Ａは、全般に円形の、壁に形成された凹み１４２Ａを備えており、先細の切り欠き１４４Ａが壁の上縁１０４Ａから凹み１４２Ａの中に入り込んでいる。幾つかの更に小さい切り欠き１４６Ａが凹みの縁に形成され、半径方向外側に延びている。形体１４０Ａ、１４０Ｂは同一である。
【手続補正７】
【補正対象書類名】明細書
【補正対象項目名】００２３
【補正方法】変更
【補正の内容】
【００２３】
ブラケット１００をクリップ１０２Ａおよび１０２Ｂにより走査器ハウジング７０に固定すると、形体１４０Ａ、１４０Ｂは走査器ハウジング７０の壁７４に形成された接着剤受け入れ形体７８Ａ、７８Ｂに隣接する。形体７８Ａ、７８Ｂは、この例示実施例では、壁７４に形成されたＴ型の凹みである。中間ブラケット１００を壁７４に対してクリップした状態で、対応する形体７８Ａ、１４０Ａ、および７８Ｂ、１４０Ｂは上縁１０４Ａから空洞内に入り込む切り欠き１４４Ａ、１４４Ｂにより形成される開いた溝を有する空洞を形成する。液体状態の接着剤を溝を通してこれら空洞内に施すことができる。空洞の内面を粗くして表面接着を向上させることができる。
【手続補正８】
【補正対象書類名】図面
【補正対象項目名】図７
【補正方法】変更
【補正の内容】
【図７】
1998126592.tif 000001